(57)【要約】  本発明は、化粧品を入れるための容器と、化粧品を塗布するための化粧品アプリケータを有する化粧品ユニット、特にマスカラユニットに関し、容器内に入った化粧品を供給されるように化粧品アプリケータが容器内に挿入可能であり、蓄えられた化粧品のかなりの部分が圧力を及ぼすことによってアプリケータから離れた容器領域からアプリケータに近い容器領域内に押し出されるように容器の少なくとも一つの壁区分が弾性的に具現化され、アプリケータに近い容器領域が、互いに間隔をおいた複数の貫通開口を有する仕切り壁によってアプリケータから離れた容器領域から分けられていて、前記貫通開口を通って化粧品がアプリケータに近い容器領域内に押されて入る。
2013542825.tif 000002
【特許請求の範囲】
【請求項１】
化粧品を入れるための容器を有し、化粧品を塗布するための化粧品アプリケータを有する化粧品ユニット、特にマスカラユニットであって、容器内に入った化粧品を供給されるように化粧品アプリケータが容器内に挿入可能である、化粧品ユニットにおいて、
蓄えられた化粧品のかなりの部分が圧力を及ぼすことによってアプリケータから離れた容器領域からアプリケータに近い容器領域内に押し出されるように容器の少なくとも一つの壁区分が弾性的に具現化され、アプリケータに近い容器領域が、互いに間隔をおいた複数の貫通開口を有した仕切り壁によってアプリケータから離れた容器領域から分けられていて、前記貫通開口を通って化粧品がアプリケータに近い容器領域内に押されて入ることを特徴とする化粧品ユニット。
【請求項２】
仕切り壁がかごの形状に具現化されていることを特徴とする請求項１に記載の化粧品ユニット。
【請求項３】
アプリケータが完全に容器内に挿入される際に仕切り壁が塗布に直接供されるアプリケータの部分の少なくとも一部を五つの側で取り囲むように、仕切り壁が具現化され位置されていることを特徴とする請求項１又は２に記載の化粧品ユニット。
【請求項４】
実質的にかご状の仕切り壁の底表面のみに貫通開口が設けられていることを特徴とする請求項１〜３のいずれか一項に記載の化粧品ユニット。
【請求項５】
実質的にかご状の仕切り壁の底表面と２つの大きな側面のみに貫通開口が設けられていることを特徴とする請求項１〜４のいずれか一項に記載の化粧品ユニット。
【請求項６】
貫通開口間の橋渡し片の累積範囲が、貫通開口全体によって占められる範囲よりも小さいことを特徴とする請求項１〜５のいずれか一項に記載の化粧品ユニット。
【請求項７】
容器が、実質的に堅い材料、好ましくは硬質の弾性プラスチックから作られた第１部分を有し、この第１部分よりもかなりしなやかな材料から作られた第２部分を有し、第２部分が第１部分に直接繋がっていることを特徴とする請求項１〜６のいずれか一項に記載の化粧品ユニット。
【請求項８】
容器の第１部分と第２部分とが封止された戻り止め接続によって互いに繋がっていることを特徴とする請求項１〜７のいずれか一項に記載の化粧品ユニット。
【請求項９】
容器の第１部分又は第２部分が周方向に延在する少なくとも一つの全周封止ストリップを有し、当該封止ストリップは、第２部分又は第１部分の全周封止溝によって取り囲まれていることを特徴とする請求項１〜８のいずれか一項に記載の化粧品ユニット。
【請求項１０】
容器の第１部分が挿入開口を有し、ここを通って化粧品アプリケータが外側から容器内に滑り込み得ることを特徴とする請求項１〜９のいずれか一項に記載の化粧品ユニット。
【請求項１１】
仕切り壁を備える構成要素が容器から分離し容器の第３部分を構成する他の構成要素であることを特徴とする請求項１〜１０のいずれか一項に記載の化粧品ユニット。
【請求項１２】
仕切り壁を備える構成要素が容器の第１部分に好ましくは戻り止め係合で取り付けられていることを特徴とする請求項１〜１１のいずれか一項に記載の化粧品ユニット。
【請求項１３】
第１部分は、かご状仕切り壁が滑り込むことが可能でかご状仕切り壁が好ましくは第１部分との戻り止め係合を介して所定位置に固定可能である収容部を有することを特徴とする請求項１〜１２のいずれか一項に記載の化粧品ユニット。
【請求項１４】
かご状仕切り壁がのちの容器の側からのみ第１部分の収容部内に滑り込むように第１部分の収容部が具現化されていて、収容部が好ましくは完全に組み立てられた化粧品ユニットのかご状仕切り壁が引き出されることを不可能とする少なくとも一つの突出部若しくは周囲首部を有することを特徴とする請求項１〜１３のいずれか一項に記載の化粧品ユニット。
【請求項１５】
化粧品ユニットがかご状仕切り壁内に滑り込むストリッパーを含み、仕切り壁がストリッパーをその周囲で形状拘束的に取り囲むことを特徴とする請求項１〜１４のいずれか一項に記載の化粧品ユニット。
【請求項１６】
第１部分の収容部は、かご状仕切り壁がこれを形状拘束するように取り囲むストリッパーとともにのちの容器の側から第１部分の収容部に滑り込むことができるように具現化され、かご状仕切り壁のみが第１部分に戻り止め接続される一方で、ストリッパーは首部を有し、当該首部は第１部分の少なくとも一つの突出部又は首部とかご状仕切り壁の間で形状拘束的に固定されることを特徴とする請求項１〜１５のいずれか一項に記載の化粧品ユニット。
【請求項１７】
かご状仕切り壁が固有の閉鎖周囲領域、即ち、貫通開口のない周囲領域を有することを特徴とする請求項１〜１６のいずれか一項に記載の化粧品ユニット。
【請求項１８】
容器の第２部分が局所的にかご状仕切り壁に当接して、好ましくはかご状仕切り壁の固有の閉鎖周囲領域にて、第２部分がかご状仕切り壁を支持することを特徴とする請求項１〜１７のいずれか一項に記載の化粧品ユニット。
【請求項１９】
容器の第２部分が局所的にかご状仕切り壁に当接して、かご状仕切り壁に対して封止され、したがって化粧品コンパウンドを蓄えるのに利用可能な容器の空間の範囲を画定することを特徴とする請求項１〜１８のいずれか一項に記載の化粧品ユニット。
【請求項２０】
容器内の化粧品コンパウンドが、液状、ペースト状又はジェル状で、それぞれ回転粘度計（プレート／プレート）で測って１．５ｍＰａ・ｓから５０００００ｍＰａ・ｓの粘度を、なお良好には５ｍＰａ・ｓから１００００ｍＰａ・ｓの粘度を、理想的には５０ｍＰａ・ｓから１５００ｍＰａ・ｓの粘度を有することを特徴とする請求項１〜１９のいずれか一項に記載の化粧品ユニット。
【請求項２１】
液状、ペースト状又はジェル状の形態をした化粧品を塗布するための請求項１〜２０のいずれか一項に記載の化粧品ユニットであって、化粧品アプリケータが好ましくはブラシであり、理想的には射出成形された剛毛を備えたブラシである、化粧品ユニット。
【発明の詳細な説明】
【技術分野】
【０００１】
本発明は、請求項１のプリアンブル部分（前提部分、所謂おいて書き部分）に係る化粧品ユニットに関する。
【背景技術】
【０００２】
適用（塗布）されるべき化粧品を入れるための容器と化粧品を適用するための化粧品アプリケータ（塗布具）とを有する化粧品ユニットは、長い間、広く様々な形で知られている。
化粧品アプリケータは典型的には、容器内に挿入され、その中に蓄えられた化粧品に浸され、必要量の化粧品を与えられ得る。
【０００３】
容器に収容された化粧品の全てを使い切ることが容易でないという問題がしばしば生じる。なぜならば、容器内の化粧品のレベルが減るにつれ、化粧品アプリケータを容器内に挿入して、その中に蓄えられた残りの化粧品に浸すことがますます困難になるからである。これは、通常の化粧品が例えば、容器内に入った化粧品アプリケータを濡らすために、容器を僅かに揺り動すだけで十分なほどに流動的でないからである。むしろ、通常の化粧品はだいたい、高い粘性の、ペースト状のような粘稠性を有する。言い換えると、化粧品はゆっくり動いて重力の影響下で容器の底区域に集まる傾向がある。この状況において、通常の化粧品が一般に揺り動かしても簡単に化粧品アプリケータ上に均一に広げられないことは困ったことである。
【０００４】
それでもやはり化粧品をできる限り完全に使い切るために、容器の内側横断面を化粧品アプリケータの輪郭に合わせることが普通は必要である。例えば、円柱状ブラシの形をした化粧品アプリケータを、同じく円柱状の容器（その内径はブラシの外径に対応するサイズである）に結合することが有益である。このようにして、概ね終わりまで化粧品アプリケータが常に化粧品コンパウンド内に浸され得、化粧品コンパウンドが次第に終わりに近づく際にもなお十分に濡らされることを保証することが可能である。
【０００５】
しかしながら、化粧品アプリケータを詰めて取り囲む容器は、単に限定された貯留容量を有する。なぜならば、多くの場合、ほぼ完全に満たされた容器内に必要よりも深く化粧品アプリケータを浸すことが合理的でないからである。
【０００６】
これに反して、化粧品アプリケータの外径よりもかなり大きな内側横断面を有する化粧品容器は、化粧品コンパウンドを使い切り得る観点からは不満足なものである。このように具現化された容器において、容器の底に集める化粧品コンパウンドの傾向によって、化粧品コンパウンドのかなりの量が実際に容器内になお入っていたとしても化粧品コンパウンド内にアプリケータをできる限り完全に浸すことは早期にもはや可能でないという結果となる。
【発明の概要】
【発明が解決しようとする課題】
【０００７】
この状況に照らし、本発明の課題は、匹敵するサイズの既知容器を用いるよりも内容物を良好にあるいは容易に使い切ることができる容器を有する化粧品ユニットを創出することにある。
【課題を解決するための手段】
【０００８】
この課題は、請求項１に記載の特徴により解決される。
本発明によれば、化粧品を含有する容器と化粧品を施すための化粧品アプリケータを有する（特にマスカラユニットやリップグロス若しくはアイシャドーユニットの形態をした）化粧品ユニットがもたらされる。化粧品アプリケータは容器内に挿入され、容器に含有された化粧品を与えられ得る。本発明によれば、容器の少なくと１つの壁部分が弾性的に具現化され、この壁部分に加えられる圧力が、蓄えられた化粧品のかなりの部分を、アプリケータから遠くにある容器領域から、アプリケータにより近い容器領域に押すことができる。アプリケータにより近い領域は、アプリケータから離れた領域から、互いに間隔をあけた多数の貫通開口を有する仕切り壁によって分けられている。化粧品は貫通開口を通ってアプリケータにより近い領域に押し込まれ得る。
【０００９】
このようにして、化粧品アプリケータによってもはや達することができない容器の領域に集まった化粧品コンパウンドが、容器に加えられる圧力によって化粧品アプリケータの領域に搬送されることが可能で、その結果、意図的に化粧品アプリケータを関連領域で幾らか行ったり来たり動かすことがまだ必要かもしれないが、しばらくの間近傍にとどまる化粧品コンパウンドによって化粧品アプリケータはより容易に濡らされる。
【００１０】
仕切り壁の存在によって、容器へのプレスはうまい具合に化粧品アプリケータの近傍に必要量を一定期間もたらす結果となる。したがって、化粧品アプリケータを化粧品と効果的に接触させるために容器に圧力を及ぼす必要は、化粧品アプリケータを容器内に繰り返し挿入することと化粧品アプリケータを容器から繰り返し引き出すことからしばしば成る適用の全期間中、除かれる。その代わりに、特定の適用に関連していったん容器に圧力を及ぼして、それによって仕切り壁を通して化粧品アプリケータの近傍に化粧品を移動させて、そこで化粧品を仕切り壁によってしばらく保持することでむしろ十分である。
【００１１】
好ましくは、仕切り壁は、かごに似た構造を有するように具現化される。理想的にはかごである。したがって、この変形例において、仕切り壁は単に専ら平坦なスパンを有するのではなく、代わりに三次元形状を有する。この仕切り壁の三次元形状によって、アプリケータから離れた領域の方に向いた側で、単に平坦である仕切り壁よりも大きな表面範囲を有することになる。これは、単に平坦である仕切り壁よりも開口の横断面全体を大きくし、これら開口を通って化粧品コンパウンドは、各個々の開口の横断面を非常に大きくしなくともアプリケータから離れた領域からアプリケータにより近い領域に押し出され得る。
【００１２】
好ましくは、化粧品ユニットは、アプリケータが容器内に完全に挿入される際に仕切り壁が塗布に直接供されるアプリケータの部分の少なくとも一部を五つの側で取り囲むように、仕切り壁が構成され、位置され、特定のアプリケータに適合されることを特徴とする。これによって、或る量の化粧品がアプリケータから離れた領域からアプリケータにより近い領域へ移動されるとすぐに化粧品アプリケータが非常に効果的に濡らされ得ることが保証される。
【００１３】
本発明の別の部分変更において、本質的に単にかご状の仕切り壁の底表面と二つの大きな側面だけが、貫通開口を備える。そのような実施形態は、非常に良好な相互譲歩／歩み寄りを表す。一方で、この互譲／歩み寄りによって、仕切り壁が高い寸法安定性を有し、したがって容器が絞り潰される際に生じる内圧によってあまり強烈に変形させられないことが保証される。他方、この互譲／歩み寄りによって、容器に圧力が作用した後に、それにもかかわらず化粧品アプリケータを全く効果的に濡らすことが可能であるように、十分な化粧品がなおアプリケータにより近い領域で使用可能なまま残っていることが、保証される。
【００１４】
仕切り壁は、好ましくは４個以上、理想的には１０個以上あるいは１５個以上の貫通開口を有する。
好ましくは、少なくとも幾らかの領域（好ましくは自由な仕切り壁範囲の２５％以上）において、貫通開口間の橋渡し片の累積範囲（cumulative area）は、貫通開口全体によって占められる範囲よりも小さい。大まかに言って、仕切り壁は主として化粧品が通過し得る穴から構成されている。これら穴の間に狭い橋渡し片があり、これらは一方でアプリケータから離れた領域からアプリケータにより近い領域までの化粧品の通路を不必要に妨げないほど広いが、他方で化粧品が早期にアプリケータにより近い領域から出てアプリケータから離れた領域へぽたぽた落ちたり徐々に戻ったりしないことを保証する。理論上、化粧品コンパウンドがいったんアプリケータから離れた領域から出てアプリケータにより近い領域に押されると化粧品コンパウンド、あるいはその多くはアプリケータにより近い領域に永続的に留まるのに十分なほど小さく穴の寸法が設定可能である。
【００１５】
用語「永続的に」は、好ましくは、「永久に」を意味すると理解されるべきであるが、たいていの実用的な適用に関しては、用語「永続的に」は「少なくとも１週間」若しくは「少なくとも２４時間」を意味すると理解されれば充分である。
【００１６】
これは次の背景がある。
アプリケータの一群のブラシ毛あるいは本来のアプリケータ部分はすっかり乾燥してはならない。そうでないと、時間がたつにつれて固まって、使用不能になる。そのような乾燥は、少なくとも多くの場合に二度の使用の間に一群のブラシ毛等がアプリケータにより近く領域に入った化粧品コンパウンドによって取り囲まれることを確実にすることによって、防止可能である。
【００１７】
特に好ましい実施形態において、容器は、本質的に堅い材料（rigid material）、好ましくは硬質の弾性プラスチック（hard elastic plastic）から作られた第１部分を有し、この第１部分よりも際立ってしなやかな（significantly more flexible）材料から作られた第２部分を有する。第２部分は第１部分に直接繋がっている。
【００１８】
この場合、第２部分は少なくとも、新しい化粧品ユニット（即ち、引渡し状態の化粧品ユニット）において容器に入った化粧品コンパウンドの少なくとも２０％、より好ましくは３０％が、しなやかな材料から構成された第２部分を指で絞ることによって、アプリケータから離れた領域からアプリケータにより近い領域へ押し出され得るのに十分しなやかである。
【００１９】
当然ながら、第２部分の壁厚と第２部分に用いられる材料は、あまりに大きな力を加えることなく、あるいは少なくとも猛烈な力を用いることなく、上記絞りが起こり得るように、ごく普通に互いに釣り合い可能である。実際にほぼ完全に空にされ得る化粧品ユニットを生み出すことができるために、幾つかの場合に、容器の第２部分を絞り潰す際にアプリケータから離れた容器の領域を５０％以上、好ましくは７５％以上サイズ的に減らし、最適には完全に除去されることができるように、容器の第２部分を具現化することが適切である。これを実現するために、第２部分をゴムのような圧縮可能な材料から製造する、及び／又は第２部分を非常に薄い壁で具現化する、及び／又は力が第２部分に及んでその体積が急に減少する際に第２部分をぺしゃんこにする弱められた範囲を第２部分に設けることが適切である。
【００２０】
これに関連して、第２部分の他の壁領域を補強すること、及び／又はそれら他の壁領域をバネ要素の形状で具現化することで第２部分を絞り潰した後にそれら壁領域が指圧力を解放するや第２部分をもとの形状に強制的に戻し易くする（あるいは実際に本質的に強制的に戻す）ことが有益である。代替的に、例えばこの目的のために、第２部分の壁を互いに離れるように押す螺旋バネを第２部分の内部に挿入することも考えられ得る。
【００２１】
容器をそのように少なくとも二つの部分とする実施形態の利点は、容器の二つの部分の各々が材料の適切な選択によって成し遂げらなければならないタスクに適応可能であることである。それゆえ、仕切り壁やストリッパー（stripper、剥ぎ取り材）のような様々なコンポーネントのための取付ベースに供される容器の第１部分が非常に厳密で寸法的に安定したように具現化可能な一方で同時に第２部分が容易に変形可能に具現化され得ることを、高コストでなく且つ第１部分に関して相互譲歩を容認する必要なしに、保証するのが非常に簡単である。
【００２２】
好ましくは容器の上述した第１部分と第２部品は封止された戻り止め接続（detent connection）によって互いに繋がれている。連続製造に関連して、そのような戻り止め接続（Verrasten／engagement）は過度なコストなしで生み出されることができ、同時に非常に確実に封止された接続を生じる。
【００２３】
好ましくは、容器の上記第１部分又は上記第２部分が周方向に延在する少なくとも一つの取り巻き封止ストリップを有するように化粧品ユニットが構成される。封止ストリップは、上記第２部分又は上記第１部分の取り巻き封止溝によって取り囲まれている。最適なケースにおいて、容器の第２部分に対する容器の第１部分の回転固定な取り付けを保証する手段が同時に設けられる。
【００２４】
一般に（幾つかの例外は別として）、容器の第１部分は、化粧品アプリケータが外側から容器内に滑らかに入り得る挿入開口を有する。そして同時に（第２部分の材料に比べて硬い材料で作られ、理想的には本質的に寸法安定な）容器の第１部分は、化粧品アプリケータを保持する戻り止め要素を提供するように用いられ得る。それで化粧品アプリケータは容器の第１部分に対してそのホーム位置で不動となり、実際、化粧品アプリケータは容器の第１部分における挿入開口を封止して、化粧品の望ましくない流出を防ぐ。
【００２５】
好ましくは、仕切り壁を備えるコンポーネントは、容器から、即ち、容器の第１部分と第２部分から分かれた他のコンポーネントであり、容器の第３部分を構成する。これによって、相互譲歩を要せず殆ど専ら本発明に従う機能を性的に達成することに向けて三次元構成で仕切り壁を作ることが容易になる。
【００２６】
本発明の部分変形例において、上記第１部分は、好ましくはかご状の仕切り壁が滑り込むことが可能で好ましくは第１部分との戻り止め係合を介して所定位置に固定可能な収容部を有する。したがって、仕切り壁は特に寸法安定な第１部分に固定される。
【００２７】
上記第１部分の収容部は、好ましくはかご状の仕切り壁がのちの容器の側からのみ上記第１部分の収容部に滑り込み可能なように、具現化される。この場合、収容部は、好ましくは、完全に組み立てられた化粧品ユニットのかご状仕切り壁が引き出されることを不可能とする少なくとも一つの突出部若しくは周囲首部を有する。このようにして、化粧品アプリケータが引き抜かれる際に第１部分から引き出される危険がないようにかご状仕切り壁は容易に第１部分に取り付けられ得る。
【００２８】
特に好ましい実施形態では、化粧品ユニットは、かご状仕切り壁に滑り込むストリッパーを含み、仕切り壁はその周囲に沿って形状拘束するようにストリッパーを取り囲む。
上記第１部分の収容部は、好ましくは、かご状仕切り壁がこれを形状拘束するように取り囲むストリッパーとともにのちの容器の側から上記第１部分の収容部に滑り込むことができるように具現化される。好ましくは、かご状仕切り壁のみが上記第１部分に戻り止め接続される一方で、ストリッパーは首部を有し、当該首部は上記第１部分の少なくとも一つの突出部又は首部とかご状仕切り壁の間で形状拘束仕様で固定される。これは組み立てをかなり簡単にする。なぜならば、かご状仕切り壁の固定とともに、ストリッパーの取り付けも同時に起こるからである。その結果、かご状仕切り壁の固定は組み立てコストのかなりの増加とならない。なぜなら、ストリッパーは典型的にはいずれにせよ別途装着されなければならないコンポーネントだからである。それゆえこれは、僅かな場合にだけ、ストリッパーを容器と同じ材料でできていて、したがって容器と一緒に射出成形することが可能である。
【００２９】
好ましくは、かご状仕切り壁は固有の閉鎖周囲領域、即ち、貫通開口のない周囲領域を有する。この周囲領域は、他の機能を果たすに当たりかご状仕切り壁を補佐する安定性の増加した機能領域を構成する。
【００３０】
つまり、好適な実施形態では、容器の第２部分が局所的にかご状仕切り壁に当接して、かご状仕切り壁の上記した固有の閉鎖周囲領域において第２部分がかご状仕切り壁を支持する。
他の好適な実施形態では、容器の第２部分が局所的にかご状仕切り壁に当接して、かご状仕切り壁に対して封止され、したがって化粧品コンパウンドを蓄えるのに利用可能な容器の空間の範囲を定める。
【００３１】
化粧品コンパウンドは、好ましくは、液状コンパウンド、ペースト状コンパウンド、ジェル状コンパウンドを意味し、粉末や内側に液体を充填させたペレット等でできているパウダーではないと理解される。
【００３２】
本発明の幾つかの実施形態において、化粧品コンパウンドは流れ特性或いはクリーピング特性を有し、その結果、（アプリケータから遠い領域から仕切り壁を介してアプリケータに近い領域へ押圧された後）、正しく蓄えられた化粧品ユニット（底を下にして）で、化粧品コンパウンドの多くはアプリケータに近い領域に持続的に留まらず、重力の影響下で、少なくとも化粧品コンパウンドの多くは、特に１時間の間に、なお良好には２４時間の間に再びアプリケータから遠い領域へ戻るよう動く。一般的に２０℃の化粧品コンパウンドは、それぞれ限界値を含めて且つ好ましくは回転粘度計（plate／plate）で測って１．５ｍＰａ・ｓから５０００００ｍＰａ・ｓの粘度を、なお良好には５ｍＰａ・ｓから１００００ｍＰａ・ｓの粘度を、最善の場合には５０ｍＰａ・ｓから１５００ｍＰａ・ｓの粘度を有する。
本発明の他の利点、実施形態の可能性及び機能は図面に関連した以下の例示的な実施形態からもたらされる。
【図面の簡単な説明】
【００３３】
【図１】第１切断線に沿ったアプリケータの断面図である。
【図２】第２切断線に沿ったアプリケータの断面図である。
【図３】図１と図２に示した実施例による他の断面図である。
【図４】図１と図２に示した実施例による他の断面図である。
【図５】図１と図２に示した実施例による他の断面図である。
【図６】図１と図２に示した実施例による他の断面図である。
【発明を実施するための形態】
【００３４】
図１にはっきりと示すように、本来のアプリケータ部分９を収容する化粧品ユニット１の容器は、第１部分２と第２部分３で構成される。容器は、かごの形状に具現化された仕切り壁６とストリッパ１２によって完全なものとなっている。化粧品ユニット１は化粧品アプリケータ５と第１部分２にネジ留めされ或いは（図１でのように）スナップ掛けされたキャップ４と共に上記した各部分で構成されている。
【００３５】
容器の第１部分は、好ましくは硬質の弾性プラスチック（hard elastic plastic）、即ち、素手で本質的に圧縮することができず、したがって概ね寸法安定なプラスチックで構成される。
【００３６】
これに対して、容器の第２部分は、好ましくは、ここで選択された壁厚の場合に素手で僅かでない程度に圧縮され得るプラスチックで構成される。典型的にはブロー成形に適したプラスチックが用いられる。それは（シャンプーボトルのような）絞り潰し可能なボトルにしばしば用いられるプラスチックの類である。しかしながら、代わりに軟質な弾性材料や、あるいはエラストマーのような特性を有した材料も用いることができる。
【００３７】
このことに基づいて、第１部分に用いられるプラスチック材料は一般に、第２部分に用いられるプラスチック材料よりも硬質である。好ましくは、プラスチック材料以外の任意の材料を用いることも可能である。それゆえ、例えば特に高品質な化粧品ユニットにあっては金属で構成され例えば回転対称な丸削り部分の形状に具現化された第１部分を用いることが可能である。
【００３８】
長い間使用されなかった場合、蓄積された化粧品Ｋは、図１に示すように、アプリケータからかなり離れた第２部分３の下側領域に集まる。
本例では先細った容器の第２部分３の底部分が使用者によって絞り潰されると、これは容器内になお蓄えられた化粧品の少なくともかなりの部分を、特に最終の空段階では、その殆どを、かご状の仕切り壁６によって囲まれたアプリケータに近い領域に押し込む（図示せず）。
【００３９】
この間に、化粧品Ｋは第２部分３の絞り潰しによって生じる内圧の増加に応じて、仕切り壁６における貫通開口７を通って流れる。貫通開口各々は（単独で見て）極めて小さな横断面を有し、使用者が容器の第２部分３の絞り潰しを止める際、化粧品はまたアプリケータから離れた領域に直ちに戻るように流れることはない。これは、たとえ容器が僅かな量の化粧品コンパウンドしか残していなかったり、逆に実際には化粧品コンパウンドで大いに充填されていても、容積の大きい容器のために化粧品コンパウンドの大部分が本来のアプリケータ部分９まで直接到達され得なくとも、かなりの間、アプリケータを濡らすに十分な量の化粧品コンパウンドがアプリケータに近い領域にあることを保証する。
【００４０】
個々の貫通開口７の内部横断面をどのように寸法決めすべきであるかを律する一般的に適用可能な数学的規則はない。なぜならば、これは基本的に用いられる夫々の化粧品の粘性及びその流れ挙動にかかっているからである。しかしながら、経験則として、個々の貫通開口の内部横断面は、アプリケータに近い領域に押し込まれる化粧品コンパウンドの少なくとも半分、良好には３／４、理想的には９０％以上が先に定義した言葉の意味で永続的にそこに留まるのに十分であるよう、少なくとも小さくあるべきと述べることが可能である。これに基づき、当業者は、特定の個々の場合に選択されるべき設計を決定するために専門家に知られた習慣的なテストを容易に用いることができる。
【００４１】
これに関連して、好ましくは容器の第１部分２内の台座から化粧品アプリケータ５を取り外した後（それゆえ、かご状仕切り壁６の内側でアプリケータに近い領域の通気を保証する）にのみ容器の第２部分３を絞り潰すように、使用者は指示される。代替的に、容器の絞り潰しが仕切り壁６の内側のアプリケータに近い領域における空気クッションを生じることを防ぐ適当な通気開口（これによって化粧品がかご状仕切り壁６の貫通開口を通って移動することが防止される）も設けられ得る。
【００４２】
図１にはっきりと示されるように、容器の第２部分３には、テーパー状の周領域が備えられている。この領域で、容器の第１部分２内に滑らかに入り込む。この領域において、第２部分３の壁厚は、絞り潰されることを想定される領域での壁厚よりも好ましくは少なくとも２０％、なお良好には４０％厚くなっている。これはまた図１に非常にはっきりと示されている。そのような厚い壁厚は、特にブロー成形部分において容易に生成可能である。
【００４３】
容器の第１部分と第２部分の間の連結部が基本的にスムーズな移行を生じるように、全体が好ましく具現化されている。
好ましくは、容器の第２部分３のテーパー状周領域と容器の第１部分でこれを収容する対応領域とは、互いにサイズ的に釣り合って、半径方向における弾性的なプレストレスが互いに当接することになるこれら両部分の両表面間に生じる。したがって、この弾性的なプレストレスはこれら両部分間の連結部を封止することの一助となる。更に、図１に示されるように、両部分の一方（本例の場合、容器の第２部分３）には、対置する部分の、図１には写実的に描かれていない補助的なシールリング（一般的には高価すぎる）、連結を保証する多少の接着剤、あるいは対応する止めビーズのいずれかを収容する全周溝又は止め溝１６が設けられている。これは、連結を固定及び／又は封止する（場合によっては単に補足的にも）。好ましくは、これは如何なる場合にもシールを生じる。
【００４４】
図１はまた、容器の第２部分３が、容器の第１部分２と接触する領域にほぼ隣接して終端しないことを示す。むしろ、容器の第２部分３は、容器の第１部分２内にかなり進んで延在し、その中で、容器の第１部分に対して直接支持されない好ましくは自由に突き出た支持区域１５を構成する。
【００４５】
この支持区域１５は、好ましくは、かご状仕切り壁６と封止接触して、好ましくは半径方向プレストレスが支持区域１５とこれに接触するかご状仕切り壁６の表面との間に生じるように、形作られ寸法決めされている。それゆえ、かご状仕切り壁６は、化粧品コンパウンドが凹部１６ａ内に入り込まないように、支持されると共に封止される。いずれにせよ、支持区域１５と直接接触するかご状仕切り壁６の領域は、周方向に連続し、即ち、開口のない本質的に閉じられた周領域を構成する。
【００４６】
容器の第１部分２は、好ましくは、キャップ４がバネ仕掛けのようにパチンと止められるようなスナップ掛けされ得る台座を構成する区域を備える。容器の第１部分２は、化粧品アプリケータ５が外側から容器内に滑らかに入り得る挿入開口１７を構成する。
【００４７】
本例のかご状仕切り壁６は、一端が開口するかごの形状に具現化されている。このかごはバスケットの内周に対してストリッパー自体を封止するのに役立つ周方向延在の表面を有したストリッパー１２を収容する。
【００４８】
かごの又はかご状の仕切り壁６は、のちの容器の内側から、かご状仕切り壁６をストリッパー１２と共に所定位置に保持するために容器の第１部分２が備える収容部１０の中に挿入される。容器の第１部分２は周囲首部１１を有する。かご状仕切り壁６は、化粧品アプリケータ５の引き出しがストリッパー及び／又はかご状仕切り壁６を外方に引っ張るような力を及ぼすと直ぐに、ストリッパー１２を介して容器の第１部分２上でこの首部に支持される。そのような支持は、本実施形態において、化粧品アプリケータ５は少なくとも引き出されている際に、僅かでない力をストリッパー１２に及ぼすので、非常に有効である。これは一方で、化粧品アプリケータ５が容器内に完全に挿入されている際に容器を封止するために、ストリッパーの周方向に延在する内側表面の一部とぴったり合うように接触する周方向に延在する表面を化粧品アプリケータ５が有するからである。他方、化粧品アプリケータ５はまた少なくとも引き出されている際に、好ましくはストリッパーと戻り止め的に係合するので、僅かでない力をストリッパー１２に及ぼす。これは、化粧品アプリケータ５が、意図的に引き出されない限りは容器を封止するそのホームポジションに確実にとどまることを保証する。
【００４９】
かごの又はかご状の仕切り壁６には、これを収容部１０にスナップ掛けする戻り止め機構が備えられる。図１に示された例示的な実施形態において、この戻り止め機構は、容器の第１部分２の対応する戻り止め溝（詳細には図示せず）にスナップ掛けする戻り止め突起１３の形状において具現化されている。
【００５０】
このようにして、ストリッパー１２もまた正しい位置に、好ましくはストリッパー１２と容器の第１部分２の間に別途の戻り止め係合具を設けることなく、固定される。具体的に言えば、ストリッパーはかごの又はかご状の仕切り壁６と容器の第１部分３の周囲首部１１の間で形状拘束的に（formschluessig, in a form-locked fashion）保持され、好ましくは上記２つの部分が所定力の圧力をストリッパーに及ぼして強制嵌め込み的に保持する（ぴったり合うよう挟持する）。
【００５１】
ストリッパー１２の正確に最適な保持を保証するために、これは、アプリケータの取っ手に向いた側で周囲首部を有し、それでかごの又はかご状の仕切り壁６の上端を形状拘束的に取り囲む。これは、強力な力がストリッパーに及ぼされる場合でもストリッパー１２の周囲首部がかごの又はかご状の仕切り壁６と容器の第１部分２の周囲首部との間の台座から引き出されないことを保証する。
【００５２】
化粧品アプリケータ５が好ましくは（しかし専らでなく）、丸くなくて細長い一群の剛毛を有する平坦な化粧品アプリケータである。そのような細長い一群の剛毛は、直交する第２方向よりもアプリケータのとっての長手方向軸に対し本質的に直交するか（好ましくは７５度以上の鋭角だけ、なお良好には８５度以上の鋭角だけ）傾く第１方向において際立って大きなスパンを有することを特徴づける。
【符号の説明】
【００５３】
１  化粧品ユニット
２  容器の第１部分
３  容器の第２部分
４  キャップ
５  化粧品アプリケータ
６  仕切り壁
７  仕切り壁の貫通開口
８  仕切り壁のブリッジ片
９  本来のアプリケータ部分
１０  仕切り壁を収容するための第１部分の収容部
１１  第１部分の周囲首部
１２  ストリッパー
１３  戻り止め突起
１４  仕切り壁の固有の閉鎖周囲領域
１５  第２部分の支持区域
１６  戻り止め溝
１６ａ  凹部
１７  挿入開口
１８  カバー用台座
Ｋ  化粧品コンパウンド／化粧品
【図１】
2013542825.tif 000003
【図２】
2013542825.tif 000004
【図３】
2013542825.tif 000005
【図４】
2013542825.tif 000006
【図５】
2013542825.tif 000007
【図６】
2013542825.tif 000008
【手続補正書】
【提出日】平成25年7月18日(2013.7.18)
【手続補正１】
【補正対象書類名】図面
【補正対象項目名】図１
【補正方法】変更
【補正の内容】
【図１】
2013542825.tif 000009
【手続補正２】
【補正対象書類名】図面
【補正対象項目名】図２
【補正方法】変更
【補正の内容】
【図２】
2013542825.tif 000010
【国際調査報告】
2013542825.tif 000011
2013542825.tif 000012
2013542825.tif 000013
2013542825.tif 000014
2013542825.tif 000015
2013542825.tif 000016